(57)【要約】【課題】テープを敷設する場合に、任意の位置間の長さを容易かつ確実に把握できるようにする。【解決手段】ケース２内に収容されたテープ３と、ケース２からのテープ３の引出長さを計測するカウンタ４２と、各種指令を入力する入力ボタン群７と、引出長さをテープ３に印字する印刷部８と、を備える。テープ３が引き出されて入力ボタン群７で第１の指令が入力される度に、カウンタ４２で計測された引出長さを印刷部８でテープ３に印字するとともに、カウンタ４２による計測値をゼロにリセットする。【選択図】図１
2020128892.tif 000002
【特許請求の範囲】
【請求項１】
ケース内に収容された帯状のテープと、
前記ケースに設けられ、前記ケースからの前記テープの引出長さを計測する計測手段と、
前記ケースに設けられ、各種指令を入力する入力手段と、
前記ケースに設けられ、前記引出長さを前記テープに標記する標記手段と、
を備え、前記ケースから前記テープが引き出されて、前記入力手段で第１の指令が入力されると、前記計測手段で計測された引出長さを前記標記手段で前記テープに標記するとともに、前記計測手段による計測値をゼロにリセットし、前記テープを切り離さずに継続して前記ケースから前記テープが引き出されて、再び前記入力手段で第１の指令が入力されると、前記計測手段で計測された引出長さを前記標記手段で前記テープに標記するとともに、前記計測手段による計測値をゼロにリセットする、という動作を繰り返す、
ことを特徴とする距離計測器。
【請求項２】
計測開始から前記第１の指令が入力されるごとの前記引出長さを記憶する記憶手段を備え、
前記入力手段で第２の指令が入力されると、前記記憶手段に記憶された各引出長さを前記標記手段で前記テープに標記する、
ことを特徴とする請求項１に記載の距離計測器。
【請求項３】
ケース内に収容された帯状のテープと、
前記ケースに設けられ、前記ケースからの前記テープの引出長さを計測する計測手段と、
前記ケースに設けられ、各種指令を入力する入力手段と、
前記ケースに設けられ、前記引出長さを前記テープに標記する標記手段と、
を備え、前記ケースから前記テープが引き出されて、前記入力手段で第１の指令が入力される度に、前記計測手段で計測された引出長さを記憶手段に記憶するとともに、前記計測手段による計測値をゼロにリセットし、
前記入力手段で第２の指令が入力されると、前記記憶手段に記憶された各引出長さを前記標記手段で前記テープに標記する、
ことを特徴とする距離計測器。
【発明の詳細な説明】
【技術分野】
【０００１】
本発明は、テープの引き出し量によって距離を計測する距離計測器に関する。
【背景技術】
【０００２】
従来、複数の樹木を伐採する場合、伐採範囲をテープで囲んで伐採するエリアを明示していた。この際、伐採範囲の面積を把握するために、テープで囲んだ伐採範囲の角部から角部までの距離などを測って、伐採範囲の面積を算出する必要があった。例えば、伐採範囲が四角い場合、伐採範囲を囲ったテープの四辺の長さを測って伐採範囲の面積を算出していた。
【０００３】
また、所望の長さでスケールを作製することができる、というスケール作製装置が知られている（例えば、特許文献１参照。）。この装置は、ロールから引き出されたテープに目盛盤で目盛を印字し、その後、所定のタイミングで符号印字部によって、長さを表す数字等をテープに印字するものである。
【先行技術文献】
【特許文献】
【０００４】
【特許文献１】特開２００２−３２６３９６号公報
【発明の概要】
【発明が解決しようとする課題】
【０００５】
ところで、従来、樹木を伐採する場合、伐採範囲をテープで囲んで伐採エリアを明示した後に、伐採範囲を囲ったテープの各辺の長さをメジャーなどで測らなければならないため、多大な時間と労力とを要していた。特に、山間部で伐採する場合、山の斜面を何度も登り降りしなければならず、作業者にとって大きな負担となっていた。また、再調査のために伐採場所を訪れた際に、テープの各辺の長さがわからず、伐採範囲の大きさ、面積を把握することができなかった。一方、特許文献１に記載のスケール作製装置では、１つのテープに連続的な目盛や連番の数字が印字されるだけであるため、伐採範囲つまりテープの各辺の長さを知ることが困難である。
【０００６】
そこで本発明は、テープを敷設する場合に、任意の位置間の長さを容易かつ確実に把握可能にする、距離計測器を提供することを目的とする。
【課題を解決するための手段】
【０００７】
上記課題を解決するために、請求項１の発明は、ケース内に収容された帯状のテープと、前記ケースに設けられ、前記ケースからの前記テープの引出長さを計測する計測手段と、前記ケースに設けられ、各種指令を入力する入力手段と、前記ケースに設けられ、前記引出長さを前記テープに標記する標記手段と、を備え、前記ケースから前記テープが引き出されて、前記入力手段で第１の指令が入力されると、前記計測手段で計測された引出長さを前記標記手段で前記テープに標記するとともに、前記計測手段による計測値をゼロにリセットし、前記テープを切り離さずに継続して前記ケースから前記テープが引き出されて、再び前記入力手段で第１の指令が入力されると、前記計測手段で計測された引出長さを前記標記手段で前記テープに標記するとともに、前記計測手段による計測値をゼロにリセットする、という動作を繰り返す、ことを特徴とする距離計測器である。
【０００８】
請求項２の発明は、請求項１に記載の距離計測器において、計測開始から前記第１の指令が入力されるごとの前記引出長さを記憶する記憶手段を備え、前記入力手段で第２の指令が入力されると、前記記憶手段に記憶された各引出長さを前記標記手段で前記テープに標記する、ことを特徴とする。
【０００９】
請求項３の発明は、ケース内に収容された帯状のテープと、前記ケースに設けられ、前記ケースからの前記テープの引出長さを計測する計測手段と、前記ケースに設けられ、各種指令を入力する入力手段と、前記ケースに設けられ、前記引出長さを前記テープに標記する標記手段と、を備え、前記ケースから前記テープが引き出されて、前記入力手段で第１の指令が入力される度に、前記計測手段で計測された引出長さを記憶手段に記憶するとともに、前記計測手段による計測値をゼロにリセットし、前記入力手段で第２の指令が入力されると、前記記憶手段に記憶された各引出長さを前記標記手段で前記テープに標記する、ことを特徴とする距離計測器である。
【発明の効果】
【００１０】
請求項１に記載の発明によれば、ケースからテープを引き出して第１の指令を入力するごとに、引出長さがテープに標記されるとともに、計測手段の計測値がゼロにリセットされて、改めて引出長さが計測される。すなわち、第１の指令を入力するまでに引き出したテープの引出長さがテープに標記されるため、任意の位置、タイミングで第１の指令を入力することで、任意の位置間の引出長さを容易かつ確実に把握することが可能となる。例えば、伐採範囲をテープで囲む際に、各辺の終端（角部）で第１の指令を入力することで、計測された引出長さつまり各辺の長さがテープに標記される。このように、伐採範囲をテープで囲むと同時に各辺の長さがテープに標記されるため、計測や再調査などに要する時間と労力とを著しく軽減することが可能となる。
【００１１】
請求項２に記載の発明によれば、第２の指令を入力すると、記憶手段に記憶された各引出長さがテープに標記される。つまり、先に第１の指令を入力してテープに標記された各引出長さが、まとめてテープに標記される。このため、すべての任意の位置間の引出長さをまとめて容易かつ確実に把握することが可能となる。例えば、伐採範囲をテープで囲む際に、最後の辺の終端（角部）で第２の指令を入力することで、すべての各辺の長さがテープに標記される。このため、各辺に行かなくてもこの終端ですべての各辺の長さを容易かつ確実に把握することができ、再調査などに要する時間と労力とを著しく軽減することが可能となる。
【００１２】
請求項３に記載の発明によれば、請求項２に記載の発明と同様に、第２の指令を入力すると、記憶手段に記憶された各引出長さがテープに標記されるため、すべての任意の位置間の引出長さをまとめて容易かつ確実に把握することが可能となる。しかも、第１の指令を入力した際には、引出長さが記憶されるだけでテープには標記されないため、標記に要する費用を軽減することが可能となる。
【図面の簡単な説明】
【００１３】
【図１】この発明の実施の形態に係る距離計測器を示す概略構成図である。
【図２】図１の距離計測器を使用して伐採範囲をテープで囲む状態を示す模式図である。
【図３】図１の距離計測器を使用して引出長さがテープに印刷された状態を示す図である。
【図４】図１の距離計測器を使用して各引出長さがテープに印刷された状態を示す図である。
【発明を実施するための形態】
【００１４】
以下、この発明を図示の実施の形態に基づいて説明する。
【００１５】
図１は、この発明の実施の形態に係る距離計測器１を示す概略構成図である。この距離計測器１は、テープ３の引き出し量によって距離を計測する計器であり、印刷（標記）機能を有する。
【００１６】
テープ３は、変形自在な長い帯状、リボン状で、その幅と色は、後述する伐採範囲Ｅを囲った際に目視しやすいように設定されている。このテープ３は、ロール状に巻かれてケース２内に収容されている。すなわち、ケース２内に円盤状のテープ支持部２１が配設され、このテープ支持部２１にテープロールの芯部３１が回転自在に装着されている。また、ケース２の一側面には、テープ３を引き出すための引出口２２が設けられ、この引出口２２にはテープ３を切り離すための切断刃（図示せず）が配設されている。
【００１７】
テープロールのテープ３は、回転自在なローラー（計測手段）４１を介して引出口２２に延びている。そして、引出口２２側のテープ３を引っ張ってテープ３をケース２から引き出すと、テープ３の移動に伴ってローラー４１が回転する。このローラー４１の回転数をカウンタ（計測手段）４２が検出することで、ケース２からのテープ３の引出長さを計測するようになっている。このようなローラー４１とカウンタ４２は、ケース２内に配設されている。
【００１８】
カウンタ４２による検出結果はＣＰＵ（中央処理装置）５１に入力され、このＣＰＵ５１は、ケース２に設けられたメモリ（記憶手段）５２と、表示部６と、入力ボタン群（入力手段）７と、印刷部（標記手段）８とに伝送自在に接続されている。
【００１９】
メモリ５２は、各種情報を記憶する記憶部であり、例えば、後述するように、計測開始からリセットボタン７１が押される（第１の指令が入力される）ごとに引出長さを記憶する。表示部６は、各種情報を表示するディスプレイであり、例えば、後述するように、テープ３の引出長さをリアルタイムに表示したり、メモリ５２に記憶された引出長さを表示したりする。
【００２０】
入力ボタン群７は、各種指令を入力する操作パネルであり、リセットボタン７１や印刷ボタン７２などを含む。リセットボタン７１は、リセット指令（第１の指令）を入力するためのボタンであり、計測開始してからこのリセットボタン７１が押下されると、後述するように、引出長さをテープ３に印刷するとともにメモリ５２に記憶し、かつ、カウンタ４２による計測値（検出結果）をゼロにリセットするようになっている。また、リセットボタン７１が長押しされると計測開始にし、メモリ５２に記憶された引出長さをクリアするようになっている。
【００２１】
印刷ボタン７２は、印刷指令（第２の指令）を入力するためのボタンであり、計測中に印刷ボタン７２が押下されると、後述するように、メモリ５２に記憶された各引出長さをテープ３に印刷すると同時に、この実施の形態では、計測された引出長さもテープ３に印刷する。すなわち、先に計測されてメモリ５２に記憶された各引出長さと、直前に計測された引出長さとをテープ３に印刷するようになっている。また、印刷ボタン７２が押下されると、直前に計測された引出長さをメモリ５２に記憶するとともに、カウンタ４２による計測値をゼロにリセットするようになっている。
【００２２】
また、入力ボタン群７で所定の操作を行うと、メモリ５２に記憶された引出長さなどが表示部６に表示されるようになっている。
【００２３】
印刷部８は、引出長さなどをテープ３に印刷（標記）する印刷機であり、ＣＰＵ５１からの印刷命令を受けて引出長さをテープ３に印刷、印字する。また、この印刷部８は、テープ３への印字が終了すると、テープ３を引出口２２側に移動させて印字部分を引出口２２から外側に排出させる。これにより、切断刃でテープ３を切り離した際に、印字部分も一緒に切り離されるようになっている。
【００２４】
次に、このような構成の距離計測器１の作用、動作および使用方法などについて説明する。ここで、図２に示すように、樹木Ｔ１〜Ｔ６が伐採対象であり、外縁側に位置する樹木Ｔ１〜Ｔ４にテープ３を敷設して、伐採範囲Ｅをテープ３で囲む場合を例にして、以下に説明する。
【００２５】
まず、リセットボタン７１を長押しすると、計測開始となってメモリ５２に記憶された引出長さがクリアされる。次に、ケース２からテープ３を引き出して先端部を第１の樹木Ｔ１に固定し、続けてテープ３を引き出して第２の樹木Ｔ２に向かう。このとき、カウンタ４２の検出結果に基づいてテープ３の引出長さが計測されると同時に、その計測値がリアルタイムに表示部６に表示される。
【００２６】
続いて、第２の樹木Ｔ２の位置でリセットボタン７１を押すと、図３に示すように、計測された引出長さ、つまり樹木Ｔ１、Ｔ２間の距離が印刷部８によってテープ３に印字されるとともに、メモリ５２に記憶され、カウンタ４２による計測値がゼロにリセットされる。その後、テープ３を切り離さずに継続してケース２からテープ３を引き出し、第３の樹木Ｔ３に向かって、第３の樹木Ｔ３の位置で再びリセットボタン７１を押すと、計測された引出長さ、つまり樹木Ｔ２、Ｔ３間の距離が印刷部８によってテープ３に印字されるとともに、メモリ５２に記憶され、カウンタ４２による計測値がゼロにリセットされる。
【００２７】
このようなテープ３の敷設と計測（動作）を繰り返し、第１の樹木Ｔ１に戻った時点で印刷ボタン７２を押すと、図４に示すように、先に計測されてメモリ５２に記憶された各引出長さと、直前に計測された引出長さと、その合計長さが印刷部８によってテープ３に印字される。すなわち、伐採範囲Ｅの４つの辺の長さが、計測順にテープ３に印字され、さらに、伐採範囲Ｅの全長がテープ３に印字される。と同時に、直前に計測された引出長さがメモリ５２に記憶されるとともに、カウンタ４２による計測値がゼロにリセットされる。そして、切断刃でテープ３をテープロールから切り離し、後端部を第１の樹木Ｔ１に固定するものである。
【００２８】
このようにして樹木Ｔ１〜Ｔ４つまり伐採範囲Ｅをテープ３で囲むと、樹木Ｔ１、Ｔ２間の距離が第２の樹木Ｔ２付近のテープ３に印字され、樹木Ｔ２、Ｔ３間の距離が第３の樹木Ｔ３付近のテープ３に印字され、樹木Ｔ３、Ｔ４間の距離が第４の樹木Ｔ４付近のテープ３に印字され、樹木Ｔ４、Ｔ１間の距離を含むすべての距離と全長距離が第１の樹木Ｔ１付近のテープ３に印字される。
【００２９】
このように、一本のテープ３に対して、始点から任意の第１の点までの引出長さＬ１を計測、記憶、印字し、第１の点から任意の第２の点までの引出長さＬ２を計測、記憶、印字する、という動作を繰り返し、第（ｎ−１）の点から任意の第ｎの点（終点）までの引出長さＬｎを計測、記憶し、すべての引出長さＬ１〜Ｌｎとその合計長とを印字するものである。
【００３０】
以上のように、この距離計測器１によれば、ケース２からテープ３を引き出してリセットボタン７１を押すごとに、引出長さがテープ３に印字されるとともに、カウンタ４２による計測値がゼロにリセットされて、改めて引出長さが計測される。すなわち、リセットボタン７１を押すまでに引き出したテープ３の引出長さがテープ３に印字されるため、任意の位置、タイミングでリセットボタン７１を押すことで、任意の位置間の引出長さを容易かつ確実に把握することが可能となる。
【００３１】
例えば、上記のように、伐採範囲Ｅをテープ３で囲む際に、各辺の終端（角部である樹木Ｔ１〜Ｔ４）でリセットボタン７１を押すことで、計測された引出長さつまり各辺の長さがテープ３に印字される。このように、伐採範囲Ｅをテープ３で囲むと同時に各辺の長さがテープ３に印字されるため、計測や再調査などに要する時間と労力とを著しく軽減することが可能となる。
【００３２】
また、印刷ボタン７２を押すと、メモリ５２に記憶された各引出長さがテープ３に印字される。つまり、先にリセットボタン７１を押してテープ３に印字された各引出長さが、まとめてテープ３に印字される。このため、すべての任意の位置間の引出長さをまとめて容易かつ確実に把握することが可能となる。例えば、伐採範囲Ｅをテープ３で囲む際に、最後の辺の終端（第１の樹木Ｔ１）で印刷ボタン７２を押すことで、すべての各辺の長さがテープ３に印字される。このため、各辺、各樹木Ｔ２〜Ｔ４に行かなくてもこの終端ですべての各辺の長さを容易かつ確実に把握することができ、再調査などに要する時間と労力とを著しく軽減することが可能となる。
【００３３】
しかも、すべての引出長さの合計長さ、つまり各辺の全長距離もテープ３に印字されるため、伐採範囲Ｅの大きさをより容易かつ確実に把握することが可能となる。また、印刷ボタン７２を押すことで、直前に計測された引出長さ（例えば、樹木Ｔ４、Ｔ１間の距離）もテープ３に印字されるため、リセットボタン７１を押す必要がなく、手間を省くことができる。
【００３４】
ところで、この実施の形態では、リセットボタン７１が押される度に、引出長さをテープ３に印字してメモリ５２に記憶しているが、次のようにしてもよい。すなわち、リセットボタン７１が押される度に、引出長さを印字しないでメモリ５２に記憶し、印刷ボタン７２が押されると、メモリ５２に記憶された各引出長さと直前に計測された引出長さをテープ３に印字する。
【００３５】
このような形態の場合、上記の実施の形態と同様に、印刷ボタン７２を押すと、メモリ５２に記憶された各引出長さと直前に計測された引出長さがテープ３に印字されるため、すべての任意の位置間の引出長さをまとめて容易かつ確実に把握することが可能となる。しかも、リセットボタン７１を押した際には、引出長さが記憶されるだけでテープ３には印字されないため、印字に要する費用（例えば、インク代）を軽減することが可能となる。
【００３６】
以上、この発明の実施の形態を詳述してきたが、具体的な構成はこの実施の形態に限られるものではなく、この発明の要旨を逸脱しない範囲の設計の変更等があっても、この発明に含まれる。例えば、上記の実施の形態では、ローラー４１の回転数をカウンタ４２で検出することでテープ３の引出長さを計測しているが、その他の方法で計測してもよい。例えば、テープ３の全長にわたってマークを等間隔に設け、このマークをセンサで検出、カウントすることで引出長さを計測してもよい。
【００３７】
また、標記が印刷、印字の場合について説明したが、その他の標記、例えば、打刻や孔加工による標記であってもよい。さらに、テープ３の反標記側の面に、粘着剤を塗布して樹木などに接着できるようにしてもよい。
【符号の説明】
【００３８】
１        距離計測器
２        ケース
３        テープ
４１      ローラー（計測手段）
４２      カウンタ（計測手段）
５１      ＣＰＵ
５２      メモリ（記憶手段）
６        表示部
７        入力ボタン群（入力手段）
７１      リセットボタン（第１の指令）
７２      印刷ボタン（第２の指令）
８        印刷部（標記手段）
Ｅ        伐採範囲
Ｔ１〜Ｔ６  樹木
【図１】
2020128892.tif 000003
【図２】
2020128892.tif 000004
【図３】
2020128892.tif 000005
【図４】
2020128892.tif 000006